(57)【特許請求の範囲】
【請求項１】
第１のコネクタおよび第２のコネクタと、
互いに離れた第１辺および第２辺が前記第１のコネクタおよび前記第２のコネクタにそれぞれ接続されて該第１のコネクタと該第２のコネクタを互いに電気的に接続するフレキシブル基板であって、前記第１のコネクタに前記第１辺が接続されるとともに前記第２のコネクタに前記第２辺が接続される順接続時と、前記第１のコネクタに前記第２辺が接続されるとともに前記第２のコネクタに前記第１辺が接続される逆接続時とで形状が異なり、かつ少なくとも当該フレキシブル基板の幅方向に沿う前記第１辺と前記第２辺の間の辺の形状が互いに異なる非点対称形状を有するフレキシブル基板と、
前記順接続時に前記フレキシブル基板との干渉を避け前記逆接続時に前記フレキシブル基板によって覆われるネジ止め用の穴が形成された部材であって、該フレキシブル基板接続作業よりも後に行なわれる該穴を使ったネジ止め作業を阻害することにより、組立作業者に逆接続を認識させる干渉体であって、前記第１のコネクタおよび前記第２のコネクタとは別体である干渉体とを有することを特徴とする電子機器。
【請求項２】
前記第１のコネクタ、前記第２のコネクタ、前記フレキシブル基板、および前記干渉体を有し、演算処理を実行する本体ユニットと、表示画面を有し、該本体ユニットに開閉自在に連結された表示ユニットとを有することを特徴とする請求項１記載の電子機器。
【発明の詳細な説明】
【技術分野】
【０００１】
本件は、例えばノート型パーソナルコンピュータ（以下、「ノートＰＣ」と略記する）等の電子機器に関する。
【背景技術】
【０００２】
ノートＰＣ等の電子機器内には多数の電子部品が収納されている、これらの電子部品どうしを電気的に接続するにあたり、コネクタのレイアウト上の問題から、コネクタどうしを直接に組み合わせるのではなく、２つのコネクタ間をフレキシブル基板（以下、「ＦＰＣ」と略記する）で接続する構造を採用することも多い。【０００３】
ここで、ＦＰＣの逆接続を如何にして防止するかが問題となる。ここで、逆接続について説明する。ＦＰＣを介して接続される２つのコネクタを第１のコネクタおよび第２のコネクタと称する。ＦＰＣの第１辺を第１のコネクタに接続するとともにＦＰＣの第２辺を第２のコネクタに接続することが正しい接続（順接続）とする。このとき、この順接続とは逆に、第１のコネクタにＦＰＣの第２辺を接続し、第２のコネクタにＦＰＣの第１辺を接続することを、ここでは「逆接続」と称している。誤って逆接続されると、その電子機器が正常に動作しなかったり、あるいはその回路構成によっては電子部品を破損してしまうおそれがある。【０００４】
ここで、ＦＰＣのコネクタ差込口の寸法を上下異なる寸法にすることで上下逆向きの誤接続を防止する構造が提案されている。【０００５】
また、コネクタのＦＰＣ差込口に挿入ガイド突起を設けることにより逆接続を防止する構造が提案されている。【０００６】
また、コネクタに接続されたＦＰＣの浮き等を防止するリブを設ける構造が提案されている。【０００７】
しかしながら、逆接続防止のために特殊構造のコネクタを採用するとコスト高となるおそれがある。
【先行技術文献】
【特許文献】
【０００８】
【特許文献１】特開２００６−３１３７０３号公報
【特許文献２】特開平６−１７６８２７号公報
【特許文献３】実開平５−２３５７８号公報
【発明の概要】
【発明が解決しようとする課題】
【０００９】
本件開示の電子機器の課題は、特殊な構造のコネクタの採用等によるコストアップを生じさせることなく、ＦＰＣの逆接続の防止を図ることにある。
【課題を解決するための手段】
【００１０】
本件開示の電子機器は、第１のコネクタおよび第２のコネクタと、フレキシブル基板と、干渉体とを有する。【００１１】
フレキシブル基板（ＦＰＣ）は、互いに離れた第１辺および第２辺が第１のコネクタおよび第２のコネクタにそれぞれ接続されて第１のコネクタと第２のコネクタを互いに電気的に接続するフレキシブル基板である。このフレキシブル基板は、順接続時と逆接続時とで形状が異なる非点対称形状を有する。ここで、順接続とは、第１のコネクタに上記第１辺が接続されるとともに第２のコネクタに第２辺が接続されることを指し、逆接続とは、第１のコネクタに上記第２辺が接続されるとともに第２のコネクタに上記第１辺が接続されることを指す。【００１２】
また、干渉体は、順接続時にフレキシブル基板との干渉を避け逆接続時にフレキシブル基板と干渉して組立作業者に逆接続を認識させる作用を成す。
【発明の効果】
【００１３】
本件開示の電子機器によればコストアップを避けつつＦＰＣの逆接続が防止される。
【図面の簡単な説明】
【００１４】
【図１】本件の電子機器の一実施形態であるノートＰＣの、開状態における外観斜視図である。
【図２】図１に示すノートＰＣの閉状態の６面図である。
【図３】図１，図２に示すノートＰＣの本体ユニットの斜視図である。
【図４】本体ユニットの６面図である。
【図５】比較例としてのノートＰＣであって、ＨＤＤおよびＯＤＤのレイアウトを示す図ある。
【図６】図５に示す比較例のノートＰＣにおける、ＨＤＤの収納方法を示す図である。
【図７】本実施形態のノートＰＣにおけるＯＤＤとＨＤＤの接続方法を示す斜視図である。
【図８】本実施形態のノートＰＣにおけるＯＤＤとＨＤＤの接続方法を示す平面図である。
【図９】本体ユニットの底面側を示すとともに、ＨＤＤおよび蓋体を分解して示す分解斜視図である。
【図１０】開状態にある、図１と同じノートＰＣにおいて、ＯＤＤを少し食み出させた状態を示した斜視図である。
【図１１】本体ユニット底面側を覆う筐体部材を取り外して内部を底面側から見て示した平面図である。
【図１２】図１１に示す矢印Ａ−Ａに沿う断面図である。
【図１３】本体ユニット底面側を覆う筐体部材を取り外して内部を底面側から見て示した平面図である。
【図１４】図１３の状態における、図１３に示す矢印Ａ−Ａに沿う断面図である。
【図１５】本体ユニット上面側を覆うキーボードや上面側筐体部材を取り外して内部を上面側から示した斜視図である。
【図１６】本体ユニット上面側を覆うキーボードや上面側筐体部材を取り外して内部を上面側から示した平面図である。
【図１７】図１６に示す矢印Ｂ−Ｂに沿う断面図である。
【図１８】ＯＤＤが本体ユニット内に押し込まれた状態における、図１５に対応する図である。
【図１９】ＯＤＤが本体ユニット内に押し込まれた状態における、図１６に対応する図である。
【図２０】ＯＤＤが本体ユニット内に押し込まれた状態における、図１７に対応する図である。
【図２１】本体ユニット内の、ＯＤＤが配置される空間を示した図である。
【図２２】ＯＤＤを上面側から見た斜視図である。
【図２３】ＯＤＤを底面側から見た斜視図である。
【図２４】上面側筐体部材を取り去ってＯＤＤが食み出した状態の本体ユニットの内部を示した平面図である。
【図２５】上面側筐体部材を取り去って本体ユニットの内部を示した平面図である。
【図２６】図２５に示す状態の本体ユニットに上面側筐体部材を被せた状態を示す平面図である。
【図２７】上面側筐体部材の内面を上に向けて、上面側筐体部材が取り除かれた状態の本体ユニットの横に並べて示した図である。
【図２８】比較例としてのノートＰＣであって、コネクタどうしを接続するＦＰＣを示す図である。
【図２９】本実施形態のノートＰＣであって、上面側筐体部材を取り去った本体ユニット２０の上面側から見た内部を示した図である。
【図３０】図２９に示す矢印Ａ−Ａに沿う断面図である。
【図３１】図２９に示す矢印Ｂ−Ｂに沿う断面図である。
【図３２】２つのＦＰＣのうちの一方のＦＰＣの近傍領域の斜視図である。
【図３３】一方のＦＰＣの斜視図である。
【図３４】一方のＦＰＣの六面図である。
【図３５】図３２〜図３４に示すＦＰＣの上に上面側筐体部材が被せられ、さらにキーボードが配置された形状の、図２９の矢印Ａ−Ａで示す箇所の断面図である。
【図３６】変形例としてＦＰＣを示す斜視図である。
【図３７】変形例としてＦＰＣを示す六面図である。
【図３８】２つのＦＰＣのうちのもう一方のＦＰＣの近傍領域の斜視図である。
【図３９】もう一方のＦＰＣ自身の斜視図である。
【図４０】もう一方のＦＰＣ自身の六面図である。
【図４１】変形例としてのＦＰＣの斜視図である。
【図４２】変形例としてのＦＰＣの六面図である。
【図４３】それぞれ逆接続した状態の２つのＦＰＣを示した図である。
【図４４】２つのＦＰＣのうちの一方ＦＰＣの近傍領域の斜視図である。
【図４５】ＦＰＣ周辺の変形例を示す図である。
【発明を実施するための形態】
【００１５】
以下、本件の実施形態について説明する。
【００１６】
（外観）
図１は、本件の電子機器の一実施形態であるノートＰＣの、開状態における外観斜視図である。また、図２は、図１に示すノートＰＣの閉状態の６面図である。さらに図３は、図１，図２に示すノートＰＣの本体ユニットの斜視図、図４は、その本体ユニットの６面図である。図２，図４において、（Ａ）〜（Ｆ）は、それぞれ、平面図（Ａ），左側面図（Ｂ），右側面図（Ｃ），背面図（Ｄ），正面図（Ｅ），および底面図（Ｆ）である。
【００１７】
図１に示すように、このノートＰＣ１０は、本体ユニット２０と表示ユニット３０とを有する。表示ユニット３０は、本体ユニット２０に、図１に示す開状態と図２に示す閉状態との間で開閉自在に支持されている。
【００１８】
本体ユニット２０は、底面側の筐体部材５２０と、上面側の筐体部材５３０とにより、上面と底面と、それら上面および底面の周縁に沿って一周し上面および底面とともに内部空間を区画する側面とからなる筐体５１０を有する。本体ユニット２０の上面には、電源ボタン２１、複数のファンクションボタン２２、複数のインジケータ２３、キーボード２４やタッチパッド２５などを有する。また、右側面には、光ディスクドライブ（以下、「ＯＤＤ」と略記する）２６がスライドにより収納される開口を有し、その開口から、収納された状態のＯＤＤ２６の外面２６１が見え、また、いくつかのコネクタ等が配列されている。又、本体ユニット２０の前端面には吸気口２７が形成されている。さらに本体ユニット２０の左側面には排気口２８が設けられている。本体ユニット２０にはファン４１（例えば図１１参照）が内蔵されており、ファン４１が回転すると吸気口２７から空気が吸入され内部の電子部品を空冷して排気口２８から排気される。本体ユニット２０の左側面にも、排気口２７のほか、各種のコネクタ等が配列されている。コネクタの種類や配列位置等の詳細説明は省略する。
【００１９】
さらに、本体ユニット２０の底面図（図２，図４の（Ｆ））には、後述の説明に関係するものとして、ＨＤＤが収納される開口が形成されており、図２（Ｆ），図３（Ｆ）にはその開口を覆う蓋体２９が示されている。
【００２０】
この本体ユニット２０内には、プログラムを実行するＣＰＵ（Ｃｅｎｔｒａｌ  Ｐｒｏｃｅｓｓｉｎｇ  Ｕｎｉｔ）が搭載されており、この本体ユニット２０ではそのＣＰＵでのプログラムの実行により、そのプログラムに応じた演算処理が実行される。
【００２１】
（ＨＤＤの収納方法）
本説明では、ＨＤＤを例示しているものであり、ＨＤＤの代わりにＳＳＤ（Ｓｏｌｉｄ  Ｓｔａｔｅ  Ｄｒｉｖｅ）等の他の補助記憶装置であってもよい。このＳＳＤは、フラッシュメモリを記録媒体とするものであるが、ＨＤＤと同様の外形構造をもち、ＨＤＤと同様に交換部品である。また、補助記憶装置でなくても、同様の外形構造を備える他種類の電子部品であってもよい。
【００２２】
図５は、比較例としてのノートＰＣであって、ＨＤＤおよびＯＤＤのレイアウトを示す図である。また、図６は、図５に示す比較例のノートＰＣにおける、ＨＤＤの収納方法を示す図である。
【００２３】
図５には、収納された状態のＨＤＤ４２、およびＯＤＤ収納部５０１に収納される前のＯＤＤ２６が示されている。図５には、その他にもファン４１やその他の様々な部品が配置されているが、ここではそれらについての説明は省略する。
【００２４】
ＯＤＤ２６は、本体ユニットの側面に設けられたＯＤＤ収納開口５０２から、ＯＤＤ収納部５０１内に、矢印Ａ方向へのスライドにより収納される。
【００２５】
また、ＨＤＤ４２は、本体ユニットの底面に設けられたＨＤＤ収納開口５０３に収納される。ここで、ＨＤＤ４２にはその前端面４２ａにコネクタ４２１（図９参照）が設けられているため、その収納にあたっては、図６に示すように、先ずＨＤＤ収納開口５０３に置かれる（矢印Ｂ方向の動き）。このＨＤＤ４２は、さらに矢印Ｃ方向にスライドされて、前端面４２ａのコネクタ４２１が本体側コネクタ（図示せず）に組み合う。このため、ＨＤＤ収納開口５０３には、ＨＤＤ４２の後端面側に、図５に示す隙き間５０４が生じる。この隙き間５０４は、ＨＤＤ４２が本体ユニット内に収納された後は、そのＨＤＤ４２を交換する必要を生じるまで不要な隙き間である。しかしながら、収納時や交換時に必要となるため、その隙き間５０４に他の部品等を配置することはできず、その隙き間５０４はこのノートＰＣの稼動時には空いたままとなっているデッドスペースである。
【００２６】
ノートＰＣは、小型化、軽量化等の要請が強く、本体ユニット内には、多数の部品が密に収納されている。このような状況にある中で、このデッドスペースも問題となる。本実施形態のノートＰＣでは、このデッドスペースをなくしている。
【００２７】
図７および図８は、本実施形態のノートＰＣにおけるＯＤＤとＨＤＤの接続方法を示す、それぞれ斜視図および平面図である。
【００２８】
ここには、ＯＤＤ２６とＨＤＤ４２が示されている。ＯＤＤ２６は、大別して、ＯＤＤ本体部２６０と回路基板６０とを有する。ＯＤＤ本体部２６０は、詳細説明は省略するが、円盤状の光ディスクが着脱自在に装填され、装填された光ディスクを回転させながらアクセスする機能を有する。このＯＤＤ本体部２６０の前端面には、このＯＤＤ本体部２６０の外部から電力の供給を受けたり、このＯＤＤ本体部２６０と外部との間で信号をやりとりするコネクタ２６１が設けられている。また、このＯＤＤ本体部２６０は、ネジ穴６１１や回路基板６０の支持用の鉤部６１２が設けられた固定金具６１や、ネジ穴６２１が設けられた固定金具６２を有する。これらの固定金具６１，６２はＯＤＤ本体部２６０の側面にネジ止め固定されている。
【００２９】
また、これらの固定金具６１，６２のうちの一方の固定金具６１は、ＯＤＤ本体部２６０の一方の側面に２つの固定舌片６１３を有する。これら２つの固定舌片６１３は、ＯＤＤ本体部２６０の、図７の下面（図８の上面）とほぼ同じ高さ位置にあり、各固定舌片６１３の中央に、ネジ穴６１３ａが形成されている。ＯＤＤ２６はこれらの固定舌片６１３に設けられたネジ穴６１３ａを利用して、本体ユニット２０（図１参照）の筐体を構成する底面側の筐体部材に底面側からネジ止めされる。また、もう一方の固定金具６２はＯＤＤ本体部２６０のもう一方の側面に１つの固定舌片６２３を有する。この固定舌片６２３も、ＯＤＤ２６の固定用のものである。この固定舌片６２３は、ＯＤＤ本体部２６０の、図７の上面（図８の下面）に近い高さ位置にあり、中央に設けられた穴６２３ａもネジ穴ではなく単なる貫通孔である。この固定舌片６２３は、本体ユニット２０の筐体を構成する底面側の筐体部材と上面側の筐体部材とに挟まれ、底面側の筐体部材から差し込まれたネジが穴６２３ａが貫通し、上面側の筐体部材がネジ止め固定される際に共締めされる。ＯＤＤ２６の固定方法の詳細については後述する。このように、一部の固定舌片だけでも共締めとすることにより、その分、固定用のネジの本数を削減でき、また組立工数も減らすことができる。
【００３０】
回路基板６０の説明の前にＨＤＤ４２を説明する。ＨＤＤ４２には円盤状のハードディスク（図示せず）が内蔵されている。このＨＤＤ４２は内蔵されている円盤状のハードディスクをモータで回転させながらそのハードディスクをアクセスする機能を有する。このＨＤＤ４２は、その前端面にコネクタ４２１を有する。このコネクタ４２１は、ＨＤＤ４２の外部から電力の供給を受けたり、ＨＤＤ４２と外部との間で信号をやりとりするコネクタである。
【００３１】
回路基板６０は、ＯＤＤ２６を構成する一部品であり、２本のネジ６０５により、ＯＤＤ本体２６０側の固定金具６１，６２に各１つずつ設けられた２つのネジ穴６１１，６２１にネジ止めされる。回路基板６０の、ＯＤＤ本体部２６０へのネジ止めにあたっては、後述するコネクタ６０４が固定金具６１の鉤部６１２に挟まれるようにしてネジ止めされる（図２２参照）。この回路基板６０には、ＨＤＤ４２の前端面に設けられたコネクタ４２１と対向する位置にそのコネクタ４２１と組み合うコネクタ６０２が搭載されている。また、この回路基板６０には、ＯＤＤ本体部２６０の前端面に設けられたコネクタ２６１と対向する位置にそのコネクタ２６１と組み合うコネクタ６０３が搭載されている。この回路基板６０にはさらにもう１つのコネクタ６０４も搭載されている。このコネクタ６０４は、回路基板６０上の図示しない配線により他の２つのコネクタ６０２，６０３と接続されている。このコネクタ６０４は、本体ユニット２０（図１参照）内部の、ＨＤＤ４２およびＯＤＤ２６以外の電子回路要素と接続され、ＨＤＤ４２およびＯＤＤ２６への供給電力を受け取ったり、ＨＤＤ４２およびＯＤＤ２６双方の信号線をそれら以外の電子回路要素と接続する役割りを担っている。このコネクタ６０４は、ここには図示されていないフレキシブル基板（ＦＦＣ）６０６（図２２，図２４参照）の一端が接続されＦＦＣ６０６を介して外部の電子回路要素と接続される。
【００３２】
図９は、本体ユニットの底面側を示すとともに、ＨＤＤおよび蓋体を分解して示す分解斜視図である。また、図１０は、開状態にある、図１と同じノートＰＣの斜視図である。
【００３３】
さらに、図１１は、本体ユニット底面側を覆う筐体部材を取り外して内部を底面側から見て示した平面図、図１２は、図１１に示す矢印Ａ−Ａに沿う断面図である。
【００３４】
これらの図９〜図１２において、ＯＤＤは本体ユニットの筐体から少し食み出した状態にある。
【００３５】
図９に示すように、本体ユニット２０の底面２０１にはＨＤＤ２０２を収納するための開口２０２が形成されている。このＨＤＤ４２は、この開口２０２から本体ユニット２０の筐体内に収納されるが、この収納の際は、ＯＤＤ２６が本体ユニット２０の側面（図１０に示す右側面）に形成された開口２０３から少し食み出させた状態で開口２０２から本体ユニット２０の筐体内にＨＤＤ４２が収納される。このように、ＯＤＤ２６が本体ユニット側面から少し食み出した状態となることで本体ユニット２０の筐体内に生まれたスペースによって、ＨＤＤ４２は、ＯＤＤ２６側の回路基板６０に搭載されたコネクタ６０２と干渉することなく、開口２０２から本体ユニット２０の筐体内に収納される。
【００３６】
図１３は、図１１と同様、本体ユニット底面側を覆う筐体部材を取り外して内部を底面側から見て示した平面図である。ここでは、ＯＤＤ２６は本体ユニット筐体内に押し込まれている。また、図１４は、図１３の状態における、図１３に示す矢印Ａ−Ａに沿う断面図である。
【００３７】
ＨＤＤ４２は、ＯＤＤ２６が少し食み出した状態にあるときに、そのＨＤＤ４２の前端面のコネクタ４２１をＯＤＤ２６側に向けた状態で開口２０２から本体ユニット２０の筐体内に収納される。その後、ＯＤＤ２６が、その外面２６１が本体ユニット２０の筐体側面と同一面となるまで押される。すると、図７，図８を参照しながら説明したように、ＯＤＤ本体２６０にネジ止めされている回路基板６０に搭載されたコネクタ６０２と、ＨＤＤ４２の前端面に設けられたコネクタ４２１が結合する。また、これによりＯＤＤ２６が本体ユニット２０の筐体内に収納される。このように、ＯＤＤ２６を本体ユニット筐体から食み出した状態にすることで生じたスペースを利用してＨＤＤ４２を収納するため、ＨＤＤ２４は開口２０２に垂直な方向への直線的な移動のみで開口２０２内に収納される。すなわち、図５，図６を参照して説明した比較例のようにＨＤＤ４２を間口から筐体内に入れた後でそのＨＤＤ４２をスライドさせる必要がなく、ＨＤＤ収納開口内に無駄な空間が形成されることが避けられる。
【００３８】
図９に示すように、ＨＤＤ４２が収納された開口２０２は蓋体２９で覆われる。蓋体２９はネジ止めにより蓋体に固定される。また、ＯＤＤ２１１は、筐体内に押し込まれた後、底面の３つの取付穴５２１ａ，５２２（図２１を合わせて参照）にネジが差し込まれてネジ止めにより固定される。
【００３９】
図１５および図１６は、本体ユニット上面側を覆うキーボードや上面側の筐体部材を取り外して内部を上面側から示した、それぞれ斜視図および平面図である。また、図１７は、図１６に示す矢印Ｂ−Ｂに沿う断面図である。
【００４０】
これらの図１５〜図１７では、ＯＤＤ２６は、本体ユニット側面から食み出した状態にある。
【００４１】
前述の通り、図７，図８に示す回路基板６０には、コネクタ６０４が搭載されている。このコネクタ６０４は、ＦＦＣ６０６（図１７参照）を介して、ＨＤＤ４２およびＯＤＤ２６以外の電子回路要素と接続される。また、コネクタ６０４は、コネクタ本体部と、コネクタ本体部とでＦＦＣ６０６を挟み込んでＦＦＣ６０６の端子とコネクタの端子との電気的接続を維持するフラップを備える。本実施形態では、図１７に示すようにメモリを搭載したメモリボード５１１上に相手コネクタ５１２が搭載されており、ＯＤＤ２６側の回路基板６０上のコネクタ６０４と、メモリボード５１１上のコネクタ５１２がＦＦＣ６０６を介して接続されている。
【００４２】
ここで、図１５〜図１７には、ＯＤＤ２６が本体ユニットの側面から食み出した状態にあり、この状態ではＦＦＣ６０６の剛性によりコネクタ６０４が回路基板６０から引き剥がされる方向への引張り力を受ける。図７等に示す取付金具６１に設けられた鉤部６１２は、コネクタ６０４を支持することにより、この引張り力による、コネクタ６０４の回路基板６０からの剥れなどの不良の発生を抑えている。また、鉤部６１２は、フラップがＦＦＣ６０６の反力でコネクタ本体部から外れてしまうことを防止する。鉤部６１２は、これにより、ＦＦＣ６０６が抜けてしまうことを防止する効果も奏する。
【００４３】
図１８，図１９，および図２０は、ＯＤＤが本体ユニット内に押し込まれた状態における、それぞれ、図１５，図１６，および図１７に対応する図である。
【００４４】
ＯＤＤ２６が本体ユニット筐体内に押し込まれると、ＦＦＣ６０６は、図２０に示すように折り畳まれた状態となる。また、このとき、ＨＤＤ側のコネクタ４２１とＯＤＤ側の回路基板上のコネクタ６０２が結合する（図１４参照）。
【００４５】
次にＯＤＤのネジ止め構造について説明する。ＯＤＤのネジ止め構造については、図７，図８を参照してその概要を説明したが、ここでは、そのＯＤＤのネジ止め構造について詳述する。
【００４６】
図２１は、本体ユニット内の、ＯＤＤが配置される空間を示した図である。ここには、本体ユニットの筐体を構成する、底面側の筐体部材５２０が示されている。
【００４７】
ＯＤＤ（図２１には図示せず）は、本体ユニット側面からのスライドによりＯＤＤ収納部５０１に収納される。このＯＤＤ収納部５０１に収納されたＯＤＤは、この底面側の筐体部材５２０に設けられたボス５２１に形成された取付穴５２１ａおよび底部に形成された２つの取付穴５２２を通る、合計３本のネジ（図示せず）によりネジ止めされる。
【００４８】
図２２は、ＯＤＤを上面側から見た斜視図である。また図２３はＯＤＤを底面側から見た斜視図である。ただし、図２２には回路基板６０が固定された状態が示されており、図２３には、回路基板が取り外された状態のＯＤＤ本体が示されている。
【００４９】
図７，図８を参照して説明したように、取付金具６２は、ＯＤＤ２６の上面に近い高さ位置に取付舌片６２３を有し、その取付舌片６２３には穴６２３ａが形成されている。ＯＤＤ２６が図２１に示すＯＤＤ収納部５０１内に収納されると、取付舌片６２３は、ボス５２１の上に乗り、取付舌片６２３に形成された穴６２３ａとボス５２１に形成された穴５２１ａとが連通する。さらにその上に、本体ユニット２０の筐体を構成する上面側の筐体部材５３０（図２６，図２７参照）が被せられ、底面側の筐体部材５２０の底面から差し込まれたネジにより、上面側の筐体部材５３０が底面側の筐体部材５２０に固定される。またそれと同時に、ＯＤＤ２６も、取付金具６２の取付舌片６２３の部分が、底面側の筐体部材５２０に、上面側の筐体部材５３０とともに共締めされる。
【００５０】
また、図７，図８を参照し説明したように、もう一方の取付金具６１には、ＯＤＤ本体部の底面とほぼ同一高さ位置に２つの取付舌片６１３を有する。それら２つの取付舌片６１３には、それぞれネジ穴６１３ａが形成されている。ＯＤＤ２６が図２１に示すＯＤＤ収納部５０１内に収納されると、これら２つの取付舌片６１３は、底面側の筐体部材５２０の底部の２つの取付穴５２２の上に乗り、取付舌片６１３のネジ穴６１３ａが取付穴５２２と連通する。この状態で底面側の筐体部材５２０の底面からネジが差し込まれて、そのネジにより取付舌片６１３が底面側の筐体部材５２０に固定される。取付舌片６１３の固定は、上面側の筐体部材５３０の固定とは無関係である。
【００５１】
図２４および図２５は、上面側筐体部材を取り去って本体ユニットの内部を示した平面図である。図２４は、ＯＤＤが本体ユニット側面から食み出した状態を示しており、図２５はＯＤＤが本体ユニットに収納された状態を示している。
【００５２】
図２４に示す、ＯＤＤ２６が本体ユニット側面から食み出した状態にあるときは、取付舌片６２３は底面側の筐体部材５２０に設けられたボス５２１から外れた位置にある。ＯＤＤ２６を図２４の状態から正規の収納位置まで押し込むと取付舌片６２３がボス５２１の上に重なり、取付舌片６２３に設けられた穴６２３ａがボスに設けられた取付穴５２１ａと連通する。
【００５３】
図２６は、図２５に示す状態の本体ユニットに上面側の筐体部材を被せた状態を示す平面図である。また図２７は、上面側の筐体部材の内面を上に向けて、上面側の筐体部材が取り除かれた状態の本体ユニットの横に並べて示した図である。
【００５４】
上面側の筐体部材５３０の内面には板金部材５３１が広がっている。その板金部材５３１には、この上面側の筐体部材５３０を図２６に示すように本体ユニット上面を覆うように被せたときの、底面側の筐体部材５２０のボス５２１の穴５２１ａ（図２４参照）と重なる位置にネジ穴５３１ａを有する。そこで、ＯＤＤ２６を図２５に示す正しい収納位置まで押しこんだ状態でその上に上面側の筐体部材５３０を被せ、底面側の筐体部材５２０の底面からボス５２１の取付穴５２１ａにネジを差し込み、さらに取付舌片６２３の穴６２３ａに通し、ネジ穴５３１に螺入することにより、上面側の筐体部材５３０およびＯＤＤ２６が底面側の筐体部材５２０に共締めされる。ＯＤＤ２６は、取付舌片６２３が固定されるほか、２つの取付舌片６１３（図２３参照）も固定されることは前述した通りである。また、上面側の筐体部材５３０は、取付舌片６２３の共締め箇所以外の箇所でも底面側の筐体部材５２０にネジ止めされるが、ＯＤＤ２６との共締め箇所以外の箇所でのネジ止めについての説明は省略する。底面側の筐体部材５２０に固定された上面側の筐体部材５３０の上には、さらにキーボード２４（例えば図１参照）が置かれて、図１のような本体ユニットが完成する。
【００５５】
このように、ＯＤＤ２６は、取付舌片６２３が共締めされており、この共締めにより、ネジの本数や組立工数の削減が図られている。
【００５６】
（ＦＰＣの形状）
次に、本体ユニット内のコネクタどうしを接続するフレキシブル基板（ＦＰＣ）の形状を中心に説明する。
【００５７】
図２８は、比較例としてのノートＰＣであって、コネクタどうしを接続するＦＰＣを示す図である。
【００５８】
ここには、２つのコネクタ７１，７２とＦＰＣ８１と粘着テープ９１，９２が示されている。
【００５９】
２つのコネクタ７１，７２のうち一方のコネクタ７１にはＦＰＣ８１の第１辺が差し込まれて電気的に接続されている。また、これと同様に２つのコネクタ７１，７２のうちの他方のコネクタ７２にはＦＰＣ８１の第２辺が差し込まれて電気的に接続されている。さらに、コネクタ７１とＦＰＣ８１の、そのコネクタ７１に差し込まれた第１辺近傍の領域が粘着テープ９１で固定されている。またこれと同様に、コネクタ７２とＦＰＣ８１の、そのコネクタ７２に差し込まれた第２辺の近傍の領域が粘着テープ９２で固定されている。これらの粘着テープ９１，９２により各コネクタ７１，７２からＦＰＣ８１が外れてしまうことが防止され、接続の信頼性を担保している。
【００６０】
また、２つのコネクタ７３，７４についても同様であり、ＦＰＣ８２の第１辺および第２辺が各コネクタ７３，７４にそれぞれ差し込まれて２つのコネクタ７３，７４がＦＰＣ８２を介して電気的に接続されている。さらに、コネクタ７３の上部およびその周辺には粘着テープ９３が貼付されており、コネクタ７３からのＦＰＣ８２の抜け防止が図られている。
【００６１】
ただし、コネクタからのＦＰＣの抜け防止を図るにあたり、この図２８に示す比較例のように粘着テープを貼るという手段を採用すると、粘着テープ代および粘着テープを貼り付ける工数がかかり、コストアップの要因となる。
【００６２】
本実施形態では、別部品の追加等を行なわずにコネクタからのＦＰＣの抜け防止が図られている。
【００６３】
図２９は、本実施形態のノートＰＣであって、上面側の筐体部材を取り去って本体ユニット２０の上面側から見た内部を示した図である。また図３０は、図２９に示す矢印Ａ−Ａに沿う断面図、図３１は図２９に示す矢印Ｂ−Ｂに沿う断面図である。
【００６４】
図２９には、２つのコネクタ７５，７６と、ＦＰＣ８３が示されている。ＦＰＣ８３は、その第１辺がコネクタ７５に差し込まれ、第２辺がコネクタ７６に差し込まれて、２つのコネクタ７５，７６を電気的に接続している。
【００６５】
ここで、２つのコネクタ７５，７６をつなぐＦＰＣ８３は、それら２つのコネクタ７５，７６を直線的には接続しておらず、図３０に示すようにコネクタ７５に差し込まれた第１辺とコネクタ７６に差し込まれた第２辺との間が湾曲した山形に迂回した形状を有する。また、このＦＰＣ８３は、図２９に示すようにその平面形状も異形（非回転対称）に形成されている。
【００６６】
また、図２９には、さらに２つのコネクタ７７，７８と、ＦＰＣ８４が示されている。ＦＰＣ８４は、その第１辺がコネクタ７７に差し込まれ、第２辺がコネクタ７８に差し込まれて２つのコネクタ７７，７８を電気的に接続している。これら２つのコネクタ７７，７８は、図３１に示すように互いに段差を持って配置されており、これら２つのコネクタ７７，７８をつなぐＦＰＣ８４も、それら２つの、互いに段差を持ったコネクタ７７，７８をつなぐように途中に段差が形成された形状を有する。ただし、このＦＰＣ８４は、２つのコネクタ７７，７８よりもさらに大きな段差を持った形状を有し、その分、上に膨らんだ形状となっている。また、このＦＰＣ８４には、図２９に示すように横に広がった舌片８４１を有する異形（非回転対象）の形状となっている。また、このＦＰＣ８４に隣接した位置には部品９５が搭載されている。この部品９５がここに搭載されていることの意味については後述する。
【００６７】
ここでは、これら２つのＦＰＣ８３，８４が山形に膨らんだ形状を有することについて先に説明し、次いで、それら２つのＦＰＣ８３，８４が平面形状についても異形に形成されていることについて説明する。
【００６８】
図３２は、２つのＦＰＣのうちの一方のＦＰＣ８３の近傍領域の斜視図である。また、図３３はＦＰＣ８３の斜視図、図３４はＦＰＣ８３の六面図である。図３４において、（Ａ）〜（Ｆ）はそれぞれ、平面図（Ａ）、左側面図（Ｂ）、右側面図（Ｃ）、背面図（Ｄ）、正面図（Ｅ）、および底面図（Ｆ）である。図３２から分かるように、２つのコネクタ７５，７６はＦＰＣ８３が差し込まれる差込口を互いに向き合う方向に向けた姿勢に配置されており、それらの互いに向き合う側の側面からＦＰＣ８３の各一辺が差し込まれている。また、図３２〜図３４から分かるようにＦＰＣ８３は、中央部分が膨らんだ形状を有する。さらに、図３４の平面図（Ａ）や底面図（Ｆ）によくあらわれているように非回転対称の異形を有する。
【００６９】
図３５は、図３２〜図３４に示すＦＰＣの上に上面側の筐体部材５３０が被せられ、さらにキーボード２４が配置された状態の、図２９の矢印Ａ−Ａで示す箇所の断面図である。
【００７０】
ＦＰＣ８３は、中央の膨らんだ部分が上面側の筐体部材５３０により押されている。このＦＰＣ８３は、ある程度の剛性を持ち、中央の膨らんだ部分が押されることによって、そのＦＰＣ８３の第１辺および第２辺に、それらの第１辺および第２辺が互いに離れる方向に開こうとする力を及ぼしている。したがって、このＦＰＣ８３の第１辺および第２辺には、２つのコネクタ７５，７６にそれぞれ差し込まれる方向に力が加えられる。このため、特に別部品を追加したり特殊なロック付きのコネクタを採用することなく、各コネクタ７５，７６へのＦＰＣ８３の差し込みが確実に担保される。
【００７１】
図３６および図３７は、変形例としてのＦＰＣを示す、それぞれ斜視図および六面図である。図３４と同様、図３７において、（Ａ）〜（Ｆ）は、それぞれ、平面図（Ａ）、左側面図（Ｂ）、右側面図（Ｃ）、背面図（Ｄ）、正面図（Ｅ）、および底面図（Ｆ）である。
【００７２】
図３３、図３４に示したＦＰＣは、山形に尖った形状を有しているが、図３６，図３７に示したＦＰＣは、山形に丸く膨らんだ形状を有している。この図３６，図３７に示した形状のＦＰＣであっても山形の頂部が押される高さに形成することにより、コネクタとの接続を確実にする作用を有する。
【００７３】
図３８は、２つのＦＰＣのうちのもう一方のＦＰＣ８４の近傍領域の斜視図である。また、図３９および図４０は、そのＦＰＣ８４自身の斜視図および六面図である。図４０において、（Ａ）〜（Ｆ）は、それぞれ、平面図（Ａ）、左側面図（Ｂ）、右側面図（Ｃ）、背面図（Ｄ）、正面図（Ｅ）、および底面図（Ｆ）である。
【００７４】
図３８に示すように、このＦＰＣ８４により接続される２つのコネクタ７７，７８は、各差込口を互いの方向に向けた姿勢であって、かつ互いに段差を持って配置されている。ここで、このＦＰＣ８４は、図４０（Ｂ）に示す段差を、このＦＰＣ８４で接続される２つのコネクタ７７，７８どうしの段差（図３１参照）よりも大きな段差としている。このため、図３８に示すように、このＦＰＣ８４で２つのコネクタ７７，７８を接続すると、ＦＰＣ８４は山形に膨らんだ形状となる。
【００７５】
この山形に膨らんだ部分は、もう一方のＦＰＣ８３と同様、筐体の上面に押されて、ＦＰＣ８３の第１辺および第２辺がコネクタ７７，７８により強く差し込まれる方向の力を受ける。これによりＦＰＣ８４がコネクタ７７，７８により強く差し込まれ、多少の振動等によりＦＰＣがコネクタから抜けてしまうことが防止される。
【００７６】
図４１および図４２は変形例としてのＦＰＣの斜視図および六面図である。図４２において、（Ａ）〜（Ｆ）は、それぞれ、平面図（Ａ）、左側面図（Ｂ）、右側面図（Ｃ）、背面図（Ｄ）、正面図（Ｅ）、および底面図（Ｆ）である。
【００７７】
図３３、図３４に示すＦＰＣの場合は、角張った折り曲げにより段差が形成されているが図４１，図４２に示すＦＰＣの場合は、第１辺と第２辺との間に段差を持たせつつ、中央部分が丸く膨らんだ形状を有する。
【００７８】
このような形状のＦＰＣであってもその膨らんだ部分が筐体上面で押されることによりコネクタとＦＰＣの接続が確実になる。
【００７９】
尚、ここでは、ＦＰＣが筐体上面で押されることについて説明したが、筐体自体ではなく、筐体に内蔵された、ＦＰＣで接続される２つのコネクタに跨って広がる面を有する部材をＦＰＣの山形を押す位置に配置し、その部材でＦＰＣを押す構造としてもよい。
【００８０】
次に、ＦＰＣが非回転対称の異形に形成されている理由について説明する。
【００８１】
図４３は、それぞれ逆接続した状態の２つのＦＰＣを示した図である。また図４３は、２つのＦＰＣのうちの一方ＦＰＣ８３の近傍領域の斜視図である。
【００８２】
２つのコネクタ７５，７６を接続するＦＰＣ８３は、その第１辺がコネクタ７５に差し込まれるとともに第２辺がコネクタ７６に差し込まれることを予定したＦＰＣであり、この正しい接続をここでは順接続と称する。この図４３では、それとは逆に、ＦＰＣ８３の第２辺がコネクタ７５に差し込まれ、第１辺がコネクタ７６に差し込まれる向きに置かれている。ここではこれを逆接続と称する。逆接続の場合、ＦＰＣ８３の横に突出した部分８３１が筐体内に立設した部材９４に当たり、２つのコネクタ７５，７６の双方にはＦＰＣ８３を差し込むことができない。順接続の場合は、図３２に示すように、ＦＰＣ８３は他と干渉せずに２つのコネクタ７５，７６の双方に正しく差し込むことができる。これにより、このノートＰＣの組立作業者に逆接続を認識させることができる。
【００８３】
また、図４３に示すもう一方のＦＰＣ８４も逆接続状態にある。このＦＰＣ８４は、舌片８４１を有し、逆接続の場合は、この舌片８４１が部品９５の上に乗り、このＦＰＣ８４をコネクタ７７に無理に差し込むと図４３に示すように舌片８４１が持ち上がる。順接続の場合は、例えば図３８に示すように他の部材又は部品と干渉せず、舌片８４１は特に持ち上がった形状とはならない。このＦＰＣの変形により組立作業者は逆接続であることを認識する。
【００８４】
図４５は、ＦＰＣ周辺の変形例を示す図である。
【００８５】
ここには、ＦＰＣ８４１に隣接した位置にネジ止め用の穴９６が形成されている。この図４５ではＦＰＣ８４は順接続状態にあるがＦＰＣ８３が逆接続されるとＦＰＣ８３の舌片８４１が穴９６の上に被さって穴９６を覆う。この穴９６を使うネジ止め作業はＦＰＣ８３によるコネクタ７７，７８の接続作業よりも後の作業であり、したがってＦＰＣ８４が逆接続されているとネジ止め作業を行なうことができない。これにより組立作業者はＦＰＣ８４が逆接続されていることを認識する。
【００８６】
ここでは、このように、特殊構造のコネクタを採用するなどのコストアップを伴うことなく、ＦＰＣの形状やその周辺の部品や部材、穴等のレイアウトだけで逆接続を認識させることができる。
【符号の説明】
【００８７】
１０    ノートＰＣ
２０    本体ユニット
２１    電源ボタン
２２    ファンクションボタン
２３    インジケータ
２４    キーボード
２５    タッチパッド
２６    光ディスクドライブ（ＯＤＤ）
２７    吸気口
２８    排気口
２９    蓋体
３０    表示ユニット
４１    ファン
４２    ハードディスクドライブ（ＨＤＤ）
６０    回路基板
６１，６２    固定金具
７１，７２，７７，７８    コネクタ
８１，８２，８３，８４    ＦＰＣ
９１，９２    粘着テープ
９５    部品
２０２，２０３    開口
２６０    ＯＤＤ本体部
２６１，４２１，５１２，６０２〜６０４    コネクタ
５０１    ＯＤＤ収納部
５０２    ＯＤＤ収納開口
５０３    ＨＤＤ収納開口
５０４    隙き間
５１１    メモリボード
５２０，５３０    筐体部材
５２１    ボス
５２１ａ，５２２    取付穴
６０６    フレキシブル基板（ＦＦＣ）
６１２    鉤部
６１３，６２３    固定舌片
６１３ａ    ネジ穴
８４１    舌片
【図１】
0005532049.tif 000002
【図２】
0005532049.tif 000003
【図３】
0005532049.tif 000004
【図４】
0005532049.tif 000005
【図５】
0005532049.tif 000006
【図６】
0005532049.tif 000007
【図７】
0005532049.tif 000008
【図８】
0005532049.tif 000009
【図９】
0005532049.tif 000010
【図１０】
0005532049.tif 000011
【図１１】
0005532049.tif 000012
【図１２】
0005532049.tif 000013
【図１３】
0005532049.tif 000014
【図１４】
0005532049.tif 000015
【図１５】
0005532049.tif 000016
【図１６】
0005532049.tif 000017
【図１７】
0005532049.tif 000018
【図１８】
0005532049.tif 000019
【図１９】
0005532049.tif 000020
【図２０】
0005532049.tif 000021
【図２１】
0005532049.tif 000022
【図２２】
0005532049.tif 000023
【図２３】
0005532049.tif 000024
【図２４】
0005532049.tif 000025
【図２５】
0005532049.tif 000026
【図２６】
0005532049.tif 000027
【図２７】
0005532049.tif 000028
【図２８】
0005532049.tif 000029
【図２９】
0005532049.tif 000030
【図３０】
0005532049.tif 000031
【図３１】
0005532049.tif 000032
【図３２】
0005532049.tif 000033
【図３３】
0005532049.tif 000034
【図３４】
0005532049.tif 000035
【図３５】
0005532049.tif 000036
【図３６】
0005532049.tif 000037
【図３７】
0005532049.tif 000038
【図３８】
0005532049.tif 000039
【図３９】
0005532049.tif 000040
【図４０】
0005532049.tif 000041
【図４１】
0005532049.tif 000042
【図４２】
0005532049.tif 000043
【図４３】
0005532049.tif 000044
【図４４】
0005532049.tif 000045
【図４５】
0005532049.tif 000046